(57)【要約】      （修正有）【課題】ＰＯＰに使用したときに商品棚からの着脱が容易で、かつ汚れにくい発泡シートを提供する。【解決手段】内部に気泡を含む連続樹脂層から構成される発泡シートにおいて、前記発泡シートの表面の少なくとも一つの面が微細孔を有する平坦な連続樹脂面を備え、前記微細孔はその径より大なる径をもつ内部の気泡に連続し、前記内部の気泡は他の気泡と細径管にて連続した構造を有し、かつ前記連続樹脂層が合成樹脂から成るよう構成した。【選択図】図１
0003175945.tif 000002
【実用新案登録請求の範囲】
【請求項１】
内部に気泡を含む連続樹脂層から構成される発泡シートにおいて、
前記発泡シートの表面の少なくとも一つの面が微細孔を有する平坦な連続樹脂面を備え、
前記微細孔はその径より大なる径をもつ内部の気泡に連続し、
前記内部の気泡は他の気泡と細径管にて連続した構造を有し、かつ前記連続樹脂層が合成樹脂から成ることを特徴とする発泡シート。
【請求項２】
合成樹脂が、ウレタン樹脂とガラス転移温度-１０℃以下のアクリル樹脂及び/又はブタジエン系合成ゴムとの混合物から成る請求項1記載の発泡シート。
【請求項３】
合成樹脂が、ウレタン樹脂とガラス転移温度-１０〜-５０℃のアクリル樹脂及び/又はブタジエン系合成ゴムとの混合物から成る請求項1記載の発泡シート。
【請求項４】
ウレタン樹脂とガラス転移温度が-１０〜-５０℃のアクリル樹脂と固形分重量比（ウレタン樹脂/Ｔｇが-１０〜-５０℃のアクリル樹脂）が９５〜２０/５〜８０である請求項３記載の発泡シート。
【請求項５】
内部の気孔の平均径が、表面の微細孔の平均径より１．５〜５倍である請求項４記載の発泡シート。
【請求項６】
発泡シートの厚さが０．１mm以上である請求項１〜５記載の発泡シート。
【請求項７】
請求項１〜６の発泡シートを備える商品広告用表示板。
【請求項８】
請求項１〜６の発泡シートを備える展示商品用POP。
【請求項９】
請求項１〜６の発泡シートを備えるエンドボード。
【請求項１０】
請求項１〜６の発泡シートを備えるポスター。
【考案の詳細な説明】
【技術分野】
【０００１】
本考案は、平滑面を有する各種部材に対して密着性のある発泡シートに関する。更に詳しくは、特定の微細孔をもつ表面構造と連通気泡をもつ内部構造を有するとともに特定の合成樹脂から成ることを特徴とした、平滑面を有する部材に対する密着性に優れた発泡シートに関する。
【背景技術】
【０００２】
従来より、商品の販売を促進するとき、販売促進器具（いわゆるＰＯＰ）が用いられる。このＰＯＰは、商品棚や商品自体に設置される。なお、このＰＯＰを商品棚などに設置する場合には、ＰＯＰが商品棚などから外れないよう粘着剤が表面に塗布された粘着シートや接着剤を用いて、商品棚などに設置していた。
【０００３】
しかしながら、この方法でＰＯＰを商品棚などに設置すると、時間が経つにつれて商品棚にあるホコリやゴミが粘着シートに付着してしまい、見かけが悪くなるという問題があった。さらに、ＰＯＰを商品棚から外すときに、ＰＯＰが外れにくかったり、外れたとしても粘着シートや接着剤の一部が商品棚に付着してしまうという問題もあった。
【考案の概要】
【考案が解決しようとする課題】
【０００４】
本考案は、ＰＯＰを商品棚などから外すときに、ＰＯＰが外れにくかったり、外れたとしても粘着シートや接着剤の一部が商品棚に付着してしまうという問題を解決しようとするものであり、ＰＯＰに使用したときに商品棚からの着脱が容易で、かつ汚れにくい発泡シートを提供することにある。
【課題を解決するための手段】
【０００５】
上記課題を解決するために、本考案は以下のように構成した。
本考案の第１態様によれば、内部に気泡を含む連続樹脂層から構成される発泡シートにおいて、前記発泡シートの表面の少なくとも一つの面が微細孔を有する平坦な連続樹脂面を備え、前記微細孔はその径より大なる径をもつ内部の気泡に連続し、前記内部の気泡は他の気泡と細径管にて連続した構造を有し、かつ前記連続樹脂層が合成樹脂から成る発泡シートを提供する。
【０００６】
本考案の第２態様によれば、合成樹脂が、ウレタン樹脂とガラス転移温度-１０℃以下のアクリル樹脂及び/又はブタジエン系合成ゴムとの混合物から成る発泡シートを提供する。
【０００７】
本考案の第３態様によれば、合成樹脂が、ウレタン樹脂とガラス転移温度-１０〜-５０℃のアクリル樹脂及び/又はブタジエン系合成ゴムとの混合物から成る発泡シートを提供する。
【０００８】
本考案の第４態様によれば、ウレタン樹脂とガラス転移温度が-１０〜-５０℃のアクリル樹脂と固形分重量比（ウレタン樹脂/Ｔｇが-１０〜-５０℃のアクリル樹脂）が９５〜２０/５〜８０である成る発泡シートを提供する。
【０００９】
本考案の第５態様によれば、内部の気孔の平均径が、表面の微細孔の平均径より１．５〜５倍である成る発泡シートを提供する。
【００１０】
本考案の第６態様によれば、発泡シートの厚さが０．１mm以上である発泡シートを提供する。
【００１１】
本考案の第７態様によれば、上記発泡シートを備える商品広告用表示板を提供する。
【００１２】
本考案の第８態様によれば、上記発泡シートを備える展示商品用POPを提供する。
【００１３】
本考案の第９態様によれば、上記発泡シートを備えるエンドボードを提供する。
【００１４】
本考案の第１０態様によれば、上記発泡シートを備えるポスターを提供する。
【考案の効果】
【００１５】
本考案の発泡シートによれば、内部に気泡を含む連続樹脂層から構成される発泡シートにおいて、前記発泡シートの表面の少なくとも一つの面が微細孔を有する平坦な連続樹脂面を備え、前記微細孔はその径より大なる径をもつ内部の気泡に連続し、前記内部の気泡は他の気泡と細径管にて連続した構造を有し、かつ前記連続樹脂層が合成樹脂から成るように発泡シートを構成したので、本考案の発泡シートはＰＯＰからの着脱が容易で、かつ汚れにくい。その結果、本考案の発泡シートをＰＯＰに使用し、使用後にＰＯＰを商品棚から外すときに、ＰＯＰが商品棚から外れにくかったり、外れたとしても粘着シートや接着剤の一部が商品棚に付着してしまうという問題を解決することができる。
【図面の簡単な説明】
【００１６】
【図１】図１は、密着性発泡シートの断面図である。
【図２】図２は、発泡シートの使用例を示した斜視図である。
【図３】図３は、発泡シートの使用例を示した断面図である。
【図４】図４は、発泡シートの使用例を示した斜視図である。
【図５】図５は、発泡シートの使用例を示した斜視図である。
【図６】図６は、発泡シートの使用例を示した断面図である。
【図７】図７は、発泡シートの使用例を示した斜視図である。
【図８】図８は、発泡シートの使用例を示した斜視図である。
【図９】図９は、発泡シートの使用例を示した斜視図である。
【図１０】図１０は、発泡シートの使用例を示した平面図である。
【図１１】図１１は、発泡シートの使用例を示した平面図である。
【図１２】図１２は、発泡シートの使用例を示した斜視図である。
【図１３】図１３は、発泡シートの使用例を示した斜視図である。
【考案を実施するための形態】
【００１７】
下記で、本考案に係る実施形態を図面に基づいてさらに詳細に説明する。なお、本考案の実施例に記載した部位や部分の寸法、材質、形状、その相対位置などは、とくに特定的な記載がない限り、この考案の範囲をそれらのみに限定する趣旨のものではなく、単なる説明例にすぎない。
【００１８】
密着性発泡シート
図１は、第１実施形態の密着性発泡シート１００を示した分解断面図である。図１を参照して、本考案の密着性発泡シート１００は、発泡シート６と離型シート３から構成され、発泡シート６が離型シート３にサンドされた構成からなっている。なお、離型シート３は基体シート１の上に離型層２が形成された構成からなり、発泡シート６は発泡層４の両面に接着層５が形成された構成からなっている。
【００１９】
離型シート
離型シートは、発泡シートを外傷から保護するためのシートであり、使用する際に、密着性発泡シートから剥離されるシートである。再び、図１を参照して、離型シートは、基体シートとその上に形成される離型層から構成されている。
【００２０】
基体シート
基体シートは、離型シートの一部を構成するシートである。基体シートは、密着性発泡シートから剥離シートと剥がすときに、剥離シートが剥がれやすいように柔軟性を備えている。そのような基本シートの材質としては、ポリプロピレン系樹脂、ポリエチレン系樹脂、ポリアミド系樹脂、ポリエステル系樹脂、アクリル系樹脂、ポリ塩化ビニル系樹脂などの樹有機系樹脂が挙げられる。その他としては、アルミニウム箔、銅箔などの金属箔、グラシン紙、コート紙、セロハンなどのセルロース系シートなどを挙げることができる。
【００２１】
離型層
離型層は、密着性発泡シートから剥離シートと剥がすときに、密着性発泡シートから剥離シートが剥がれやすいようにするものである。離型層の材質としては、メラミン樹脂系離型剤、シリコーン樹脂系離型剤、フッ素樹脂系離型剤、セルロース誘導体系離型剤、尿素樹脂系離型剤、ポリオレフィン樹脂系離型剤、パラフィン系離型剤およびこれらの複合型離型剤などを用いることができる。離型層の形成方法としては、基体シート上にロールコート法、スプレーコート法などのコート法、グラビア印刷法、スクリーン印刷法などの印刷法に形成する方法が挙げられる。
【００２２】
発泡シート
発泡シートは、対象物どうしを吸着によって接着するシートである。再び、図１を参照して、発泡シート６は、発泡層４と、上記発泡層４の一方面に接着層５が形成された構成になっている。
【００２３】
発泡層
発泡層は、発泡シートが貼着された対象物と、他の対象物を吸着によって貼り合せる層である。以下、発泡層の構成について詳しく説明する。
【００２４】
発泡シートの厚みは、少なくとも０．１ｍｍ好ましくは０．５〜５ｍｍである。０．１ｍｍより薄い場合は、平滑面への密着力が低下し、又、クッション性も低下するため保護力、被覆力、固定力も低下するので好ましくない。
【００２５】
次に、発泡層の表面構造及び内部構造について説明する。
【００２６】
発泡層は、少なくとも一つの表面が微細孔を有する平坦な連続樹脂面で構成される。そして、上記微細孔はその平均径より大なる平均径の内部気泡に連続し、上記内部の気泡は他の内部の気泡と細径管にて連続した構造である必要がある。
【００２７】
微細孔を有する平坦な連続樹脂面とは、樹脂フィルムに孔をあけた如き微細孔がほぼ均質に分布した構造を意味する。微細孔の径及び空隙率は特に限定するものではないが、微細孔の平均径が５０μ、空隙率が５〜２５％以下であるのが好ましい。この範囲を超える時は、密着力が低下する傾向にある。
【００２８】
表面層より中心部に存在する内部の気泡は平均径は、上記微細孔の平均径より大きい必要がある。好ましくは１．５〜５倍であることが必要である。
【００２９】
発泡層を構成する合成樹脂は何ら限定されるものではなく、フェノール樹脂、ウレタン樹脂、アクリル樹脂、ポリエステル樹脂、ポリオレフィン樹脂、フッ素樹脂、ポリアセタール樹脂、エポキシ樹脂、アルキッド樹脂、ブタジエン系合成ゴム等が例示され、これらは単独で使用しても２種以上を併用してもよい。中でもウレタン樹脂とガラス転移温度-10℃以下のアクリル樹脂及び/又はブタジエン系合成ゴムの混合物が好ましく、ウレタン樹脂とガラス転移温度−１０〜−５０℃のアクリル樹脂及び/又はブタジエン系合成ゴムの混合物がより好ましい。
【００３０】
ウレタン樹脂は、特に限定されるものではなくポリエーテルポリオール、ポリエステルポリオール、及びその他のポリマーポリオール等の高分子量ポリオールと、芳香族ポリイソシアネート、脂肪族ポリイソシアネート及び脂環族ポリイソシアネート等のポリイソシアネートと、低分子量ポリオール、ポリアミン、水等の鎖伸長剤、必要ならその他の反応成分及び添加剤等、公知の成分を使用することにより例えば調製することができる。
【００３１】
ウレタン樹脂成分（Ａ）は、前記した出発物質を用いて公知の製造法により製造することができる。例えば、乳化剤と機械的な剪断力とによる強制乳化法や、ウレタン樹脂骨格中に連結されたイオン性或は非イオン性親水成分による自己乳化法等により、上記成分からなるウレタン樹脂が水中に微粒子状に分散した形態で製造することができる。
【００３２】
アクリル樹脂成分（Ｂ）は、特に限定されるものではなく、例えば（メタ）アクリル酸エステルモノマー、官能基含有モノマー等を主成分とし、必要なら少量の（メタ）アクリル酸誘導体モノマー、（メタ）アクリル酸誘導体モノマー以外のビニルモノマーを共重合する等、公知の成分を使用することができる。その成分及び量比についてはＴｇが−１０℃以下、中でも−１０〜−５０℃となるようにすることが好ましい。製造方法も特に限定されるものではなく、公知の方法で製造ることができる。例えば、アニオン系乳化剤、ノニオン系乳化剤、カチオン系乳化剤等を用いたいわゆる乳化重合法によるアクリル樹脂をエマルジョン状態で製造することができる。
【００３３】
発泡シートの製造時における合成樹脂の形態は特に限定されるものではないが、液状、中でもエマルジョンであることが好ましい。樹脂固形分含有率も特に限定されていないが、通常３０〜６０重量%である。
【００３４】
前記ウレタン樹脂（Ａ）とＴｇ−１０℃以下のアクリル樹脂及び/又はブタジエン系合成ゴム(B)との固形分重量比（Ａ）／（Ｂ）は９５／５〜２０／８０、中でも９０／１０〜５０／５０が好ましい。（Ｂ）成分が１０〜５０重量％であると特に高強度で、繰り返しの着脱性に優れたものとなる傾向がある。
【００３５】
発泡性シートの製造方法は特に限定されるものではないが、例えば、エマルジョンの機械発泡法により適宜条件を選定することにより得ることができる。
【００３６】
接着層
接着層は、密着性発泡シートを使用するときに発泡層と対象物を接着させて、発泡層を対象物に接着するための層である。接着層の材質としては、アクリル樹脂、ウレタン樹脂、ウレタン変性ポリエステル樹脂、ポリエステル樹脂、エポキシ樹脂、エチレン−酢酸ビニル共重合樹脂（ＥＶＡ）、塩化ビニル樹脂、塩化ビニル−酢酸ビニル共重合樹脂、天然ゴム、ＳＢＲ、ＮＢＲ、シリコーンゴム等の合成ゴムなどがあげられ、溶剤型又は無溶剤型のものが使用出来る。
【００３７】
次に、本考案にかかる発泡シートの使用例を説明する。発泡シートは、商品広告表示板、商品展示用ＰＯＰ、エンドボード、およびポスターなどに使用することができる。
１）商品広告表示板への使用例
図２は商品広告表示板１０の斜視図であり、図３は図２おけるＡ−Ａ´断面図である。図２を参照して、商品広告表示板は消費者に商品を販売するときに、商品情報（例えば、商品の特性や、値段）などを表示するためのものであり、商品棚に設置される表示板である。商品広告表示板１０は、商品の情報を広告する表示部１１と、商品広告表示板１０を商品棚に固定するための固定部１２から構成されている。
【００３８】
図３を参照して、上記表示部１１は、一枚の板材が表示終端部１３で折り返された折り返し構造を備える。そして、この構造により形成された商品情報挿入部１４に、商品情報を記載した広告などを入れることにより、消費者の購買意欲をそそる仕組みになっている。
【００３９】
再び、図３を参照して、発泡シート６を商品広告表示板１０に貼り付ける場合、発泡シート６は、接着層５が形成された側を商品広告表示板１０に貼り付けるとよい。なお、発泡シート６は固定部裏面側１５の表示部１１近傍に貼り付けるのが好ましい。商品広告表示板１０を商品棚１６に設置するときに商品広告表示板１０が安定するためである。
【００４０】
図４は発泡シート６を商品広告表示板に適用したときの使用例である。
【００４１】
図４を参照して、上記のように、商品広告表示板に発泡シートを使用することにより、商品広告表示板と商品棚は吸着により密着しているため、粘着シートや接着剤を使用したときよりも、その着脱が容易となるとともに商品広告表示板や発泡シートにホコリやゴミが付着しにくくなる。
【００４２】
図５は商品広告表示板１０の変形例であり、図６は図５におけるＢ−Ｂ ´断面図である。図５、６を参照して商品広告表示板１０は、固定部１２が短くてもよい。
【００４３】
２）商品展示用ＰＯＰへの使用例
図７は商品展示用ＰＯＰ２０をピアノ２４に適用したときの斜視図である。図７を参照して、商品展示用ＰＯＰ２０は商品広告表示板１０と同様に、その商品に関する情報などを表示するためのものである。また、その構造、機能は商品広告表示板１０と同じであるが、商品自体に設置されるものかどうかで異なる。
【００４４】
なお、商品展示用ＰＯＰ２０に発泡シート６を使用する場合も、商品広告表示板の場合と同様に、接着層５を介して発泡シート６を商品展示用ＰＯＰ２０の裏面に貼り付けるとよい。その結果、発泡シートが貼着された商品展示用ＰＯＰは、商品からの着脱が容易で、かつ汚れにくいと効果を備える。
【００４５】
図８は、洗濯機２２の上に商品展示用ＰＯＰ２０を設置したときの斜視図である。
図８を参照して、商品展示用ＰＯＰ２０は洗濯機２２の上に設置してもよい。なお、上記でピアノ、洗濯機の上に商品展示用ＰＯＰを設置する場合を説明したが、商品展示用ＰＯＰを設置する箇所は商品であればよく、商品展示用ＰＯＰの設置場合は、上記商品に限られない。
【００４６】
３）エンドボードへの使用例
図９はエンドボードとエンドボードを使用したディスプレイスタンドの斜視図である。図９を参照して、エンドボード３０は商品などをディスプレイするディスプレイスタンド３３の最上段に設置するボードである。
【００４７】
図９を参照して、エンドボード３０は商品の情報を広告する表示板３１と、表示板３１を固定するとともに、商品を陳列する陳列台３２から構成されている。エンドボード３０に発泡シート６を使用する場合、接着層５を介してエンドボード３０の裏面に貼り付けるとよい。その結果、発泡シート６が貼着されたエンドボード３０は、ディスプレイスタンドからの着脱が容易で、かつ汚れにくく、商品の陳列スペースを節約できるという効果を備える。
【００４８】
４）ポスターへの使用例
図１０は、ポスターの正面図、図１１はポスターの裏面図である。図１２は、ポスターをリーチインケースに貼付した斜視図であり、図１３はポスターをショーケースに貼付した斜視図である。
【００４９】
図１０、図１１を参照して、ポスター４０に発泡シート６を使用する場合、発泡シート６は接着層５を介してポスター４０の裏面４１に貼り付けるとよい。
【００５０】
図１２、図１３を参照して、その結果、発泡シート６が貼着されたポスター４０は、リーチインケース４２やショーケース４３からの着脱が容易で、かつ汚れにくくという効果を備える。
【符号の説明】
【００５１】
１    基体シート
２    離型層
３    離型シート
４    発泡層
５    接着層
６    発泡シート
１０  商品広告用表示板
１１  表示部
１２  固定部
１３  表示終端部
１４  商品情報挿入部
１５  固定裏面部
１６  商品棚
２０  展示商品用ＰＯＰ
２１  ピアノ
２２  自動洗濯機
３０  エンドボード
３１  表示板  
３２  陳列台
３３  ディスプレイスタンド
４０  ポスター  
４１  リーチインケース
４２  ショーケース
【図１】
0003175945.tif 000003
【図２】
0003175945.tif 000004
【図３】
0003175945.tif 000005
【図４】
0003175945.tif 000006
【図５】
0003175945.tif 000007
【図６】
0003175945.tif 000008
【図７】
0003175945.tif 000009
【図８】
0003175945.tif 000010
【図９】
0003175945.tif 000011
【図１０】
0003175945.tif 000012
【図１１】
0003175945.tif 000013
【図１２】
0003175945.tif 000014
【図１３】
0003175945.tif 000015